(57)【要約】  デバイス・ツー・デバイス（Ｄ２Ｄ）の使用および近接ベースサービスに関連したデバイス発見および接続確立のためのシステムおよび方法形態の実施形態が概して本明細書で記載される。いくつかの実施例において、３ＧＰＰロングタームエボリューションまたは３ＧＰＰロングタームエボリューション進化型（ＬＴＥ／ＬＴＥ−Ａ）ネットワークの進化型パケットコア（ＥＰＣ）は、ＬＴＥ／ＬＴＥ−Ａネットワークに接続されたユーザ機器（ＵＥ）でのＤ２Ｄ識別および発見の複数の手順を支援するよう構成される。様々な識別子および発見手順が、近接検出およびＤ２Ｄ通信リンクの確立のための通信時間の確立に関連して、ＵＥ間で、実行されてよい。従って、ＬＴＥ／ＬＴＥ−ＡネットワークのＥＰＣは、異なる無線プロトコル（例えば、無線ローカルエリアネットワーク（ＷＬＡＮ）または無線パーソナエリアネットワーク（ＷＰＡＮ）を介した直接無線ネットワーク接続）を使用する無線ネットワーク上のＵＥ間のデバイス・ツー・デバイス通信リンクの確立を支援することができる。
2015527000.tif 000002
【特許請求の範囲】
【請求項１】
ネットワーク支援を用いてデバイス・ツー・デバイス無線接続を確立するためのユーザ機器（ＵＥ）によって実行される方法であって、
３ＧＰＰロングタームエボシューションまたは３ＧＰＰロングタームエボリューション進化型（ＬＴＥ／ＬＴＥ−Ａ）無線ネットワークの１つである第１無線ネットワークの進化型パケットコア（ＥＰＣ）に、前記ＥＰＣと通信するＵＥの位置情報を提供する段階と、
前記ＥＰＣと通信する第２ＵＥと接続するために前記ＥＰＣにデバイス・ツー・デバイス接続情報を提供して、前記ＵＥと前記第２ＵＥとの間のデバイス・ツー・デバイス無線接続を確立する段階と、
前記ＥＰＣからの応答に基づいて、第２無線ネットワークを介して送信されたデバイス・ツー・デバイス通信を用いて前記第２ＵＥの発見を実行し、前記第２ＵＥとの前記デバイス・ツー・デバイス無線接続を確立する段階と
を備える方法。
【請求項２】
前記ＵＥと前記第２ＵＥとの間の前記デバイス・ツー・デバイス無線接続を通して通信を実行する段階をさらに備える、請求項１に記載の方法。
【請求項３】
前記ＥＰＣにデバイス・ツー・デバイス接続情報を提供する段階は、前記デバイス・ツー・デバイス無線接続を確立するための要求を前記ＵＥから前記ＥＰＣに送信する段階を含む、請求項１または請求項２に記載の方法。
【請求項４】
前記ＵＥの位置情報を前記ＥＰＣに提供する段階は、予め定められた間隔で実行され、前記位置情報は、前記ＵＥの既知の位置の地理的エリアに関連づけられたデータを含む、請求項１から請求項３のいずれか１つに記載の方法。
【請求項５】
前記デバイス・ツー・デバイス接続情報は、前記ＵＥが接続を要求した１または複数のＵＥを示す位置要求を含む、請求項１から請求項４のいずれか１つに記載の方法。
【請求項６】
前記デバイス・ツー・デバイス無線接続を確立するための前記ＥＰＣからの前記応答は、前記ＵＥが前記第２ＵＥに近いことを前記ＥＰＣが確認することに応答して、前記ＥＰＣから提供され、前記ＵＥが近いことは、前記ＵＥおよび前記第２ＵＥが共通の進化型ＮｏｄｅＢ（ｅＮｏｄｅＢ）に接続することに少なくとも部分的に基づいて、決定される、請求項１から請求項５のいずれか１つに記載の方法。
【請求項７】
前記デバイス・ツー・デバイス通信は、前記ＵＥから前記第２ＵＥに送信されて、ダイレクトな前記デバイス・ツー・デバイス無線接続を確立し、前記ダイレクトなデバイス・ツー・デバイス無線接続は、ＬＴＥ／ＬＴＥ−Ａ規格ファミリー、ＩＥＥＥ８０２．１１規格ファミリー、ＩＥＥＥ８０２．１６規格ファミリー、またはブルートゥース（登録商標）特別利益団体規格ファミリーからの規格に従って通信を実行する、請求項１から請求項６のいずれか１つに記載の方法。
【請求項８】
ユーザ機器（ＵＥ）であって、
３ＧＰＰロングタームエボリューションまたは３ＧＰＰロングタームエボリューション進化型（ＬＴＥ／ＬＴＥ−Ａ）ネットワーク内の進化型ＮｏｄｅＢ（ｅＮＢ）とＬＴＥ／ＬＴＥ−Ａネットワーク接続を介して無線通信を実行し、かつデバイス・ツー・デバイス接続を介して第２ＵＥと無線通信を実行する回路を有するマルチモード送受信機を備え、
前記回路は、さらに、
前記ＬＴＥ／ＬＴＥ−Ａネットワークでの通信で、予め定められたタイミングに従って前記ＵＥの位置データを、進化型パケットコア（ＥＰＣ）に送信し、
前記ＬＴＥ／ＬＴＥ−Ａネットワークに確立されたネットワーク接続を有する前記第２ＵＥの識別子を含むデバイス・ツー・デバイス接続要求を、前記ＥＰＣに送信し、
前記第２ＵＥについての接続情報および前記第２ＵＥの発見を実行するためのタイミング情報を含むデバイス・ツー・デバイス接続応答を、前記ＥＰＣから受信し、
前記タイミング情報を用いて決定された接続確立期間中に、前記第２ＵＥについての前記接続情報を用いて前記デバイス・ツー・デバイス接続を確立するための１または複数のデバイス・ツー・デバイス通信を、前記第２ＵＥに送信することにより、
前記ＵＥと前記第２ＵＥとの間で直接通信するためのデバイス・ツー・デバイス接続を促進する、ＵＥ。
【請求項９】
前記回路は、さらに、前記接続確立期間中に前記第２ＵＥの発見および認証の成功に応答して、前記デバイス・ツー・デバイス接続を介して、前記第２ＵＥと、デバイス・ツー・デバイス・データを直接送受信する、請求項８に記載のＵＥ。
【請求項１０】
前記ＵＥの位置データは、予め定められた間隔で、前記ＥＰＣに送信され、前記位置データは、前記ＵＥの決定された地理的位置を含む、請求項８または請求項９に記載のＵＥ。
【請求項１１】
前記ＥＰＣに送信される前記デバイス・ツー・デバイス接続要求は、デバイス・ツー・デバイス接続を試みるための前記第２ＵＥを含む複数のＵＥの識別子を含む、請求項８から請求項１０のいずれか１つに記載のＵＥ。
【請求項１２】
前記ＵＥは、ディスプレイ画面をさらに含み、
前記ＵＥと前記第２ＵＥとの間の前記１または複数のデバイス・ツー・デバイス通信を促進するための動作は、前記ディスプレイ画面を介して提示されるユーザインタフェース上の１または複数の対話型ディスプレイを提供して、前記デバイス・ツー・デバイス接続の確立のためのユーザ制御を可能にすることを含む、請求項８から請求項１１のいずれか１つに記載のＵＥ。
【請求項１３】
前記マルチモード送受信機は、さらに、前記ＬＴＥ／ＬＴＥ−Ａネットワークとは異なる無線ネットワークを介して前記１または複数のデバイス・ツー・デバイス通信を実行し、
前記１または複数のデバイス・ツー・デバイス通信は、ＬＴＥ／ＬＴＥ−Ａ規格ファミリー、ＩＥＥＥ８０２．１１規格ファミリー、ＩＥＥＥ８０２．１６規格ファミリー、またはブルートゥース（登録商標）特別利益団体規格ファミリーからの規格に関連して前記ＵＥと前記第２ＵＥとの間で実行される、請求項８から請求項１２のいずれか１つに記載のＵＥ。
【請求項１４】
ユーザ機器（ＵＥ）と第２ＵＥとの間に確立される直接デバイス・ツー・デバイス接続を介したデータフローを促進するためにＵＥによって実行される方法であって、
前記第２ＵＥへのデバイス・ツー・デバイス接続を確立するための要求を受信する段階であって、前記要求は、前記第２ＵＥの識別子および発見期間の識別子を含み、前記要求は、前記ＵＥが前記第２ＵＥの近くにいることを検出することに応答して３ＧＰＰロングタームエボリューションまたは３ＧＰＰロングタームエボリューション進化型ネットワーク（ＬＴＥ／ＬＴＥ−Ａネットワーク）の進化型パケットコア（ＥＰＣ）から提供される、段階と、
前記第２ＵＥへのデバイス・ツー・デバイス接続を確立するための前記要求に対する応答を、前記ＥＰＣに送信する段階と、
前記第２ＵＥの前記識別子を用いて、前記発見期間中に前記第２ＵＥへの前記デバイス・ツー・デバイス接続を確立する段階であって、前記デバイス・ツー・デバイス接続を介した前記ＵＥと前記第２ＵＥとの間のデータフローは、前記ＥＰＣを介して存在する前記ＵＥと前記第２ＵＥとの間のデータフローを入れ替えるために構築される、段階と
を備える方法。
【請求項１５】
デバイス・ツー・デバイス接続を確立するための第２要求は、前記ＥＰＣから前記第２ＵＥに送信され、前記第２要求は、第１ＵＥの識別子を含み、前記第１ＵＥおよび前記第２ＵＥは、デバイス・ツー・デバイス接続を確立するための前記第２要求に対する肯定応答に応答して、前記デバイス・ツー・デバイス接続を確立するための複数の動作を実行する、請求項１４に記載の方法。
【請求項１６】
前記第１ＵＥの前記識別子は、前記第１ＵＥの発見および認証に用いられる前記第２ＵＥからの情報を含み、前記第２ＵＥの前記識別子は、前記第２ＵＥの発見および認証に用いられる前記第１ＵＥからの情報を含む、請求項１５に記載の方法。
【請求項１７】
前記ＵＥが前記第２ＵＥの近くにいることを前記検出することは、前記ＬＴＥ／ＬＴＥ−Ａネットワーク内の共通の進化型ＮｏｄｅＢ（ｅＮｏｄｅＢ）への前記ＵＥおよび前記第２ＵＥの接続に基づく、請求項１４から請求項１６のいずれか１つに記載の方法。
【請求項１８】
前記ＵＥが前記第２ＵＥの近くにいることを前記検出することは、前記デバイス・ツー・デバイス接続の最大通信範囲との比較で前記ＥＰＣによって決定される前記ＵＥおよび前記第２ＵＥの位置に基づく、請求項１４から請求項１７のいずれか１つに記載の方法。
【請求項１９】
進化型パケットコア（ＥＰＣ）であって、
前記ＥＰＣは、３ＧＰＰロングタームエボリューションまたは３ＧＰＰロングタームエボリューション進化型無線ネットワーク（ＬＴＥ／ＬＴＥ−Ａ無線ネットワーク）のためのコンポーネントの処理を実行し、
前記ＬＴＥ／ＬＴＥ−Ａ無線ネットワークは、第１ユーザ機器（第１ＵＥ）と第２ＵＥとの間のＬＴＥ／ＬＴＥ−Ａネットワーク通信リンクを１または複数の進化型ＮｏｄｅＢ（ｅＮｏｄｅＢ）を介して確立し、
前記ＥＰＣは、
前記第１ＵＥと前記第２ＵＥとの間の前記ＬＴＥ／ＬＴＥ−Ａネットワーク通信リンクの確立を決定し、
前記第１ＵＥと前記第２ＵＥとの間の近接を決定し、
第２無線ネットワークを介したデバイス・ツー・デバイス通信リンクの確立に用いるために、前記ＬＴＥ／ＬＴＥ−Ａ無線ネットワークを介して、前記第１ＵＥおよび前記第２ＵＥに、識別情報および発見タイミングを送信するための動作を実行することにより、
前記第２無線ネットワーク上の前記第１ＵＥと前記第２ＵＥとの間の前記デバイス・ツー・デバイス通信リンクの確立を促進する１または複数のコンポーネントを含む、ＥＰＣ。
【請求項２０】
前記第１ＵＥと前記第２ＵＥとの間の近接を決定することは、前記ＥＰＣへ通信された前記第１ＵＥおよび前記第２ＵＥの位置情報に基づいて実行される、請求項１９に記載のＥＰＣ。
【請求項２１】
デバイス・ツー・デバイス通信リンクの前記確立は、前記ＥＰＣ内で提供される通知に応答して、または前記第１ＵＥから提供される通知から開始される、請求項１９または請求項２０に記載のＥＰＣ。
【請求項２２】
前記第１ＵＥと前記第２ＵＥとの間の前記デバイス・ツー・デバイス通信リンクの確立を決定するための複数の動作は、前記第１ＵＥからのデバイス・ツー・デバイス接続要求を受信することに応答して実行され、
前記第１ＵＥからの前記デバイス・ツー・デバイス接続要求は、前記ＵＥの識別子を含み、
前記ＬＴＥ／ＬＴＥ−Ａ無線ネットワークを介して識別情報および発見タイミングを前記第１ＵＥおよび前記第２ＵＥに送信するための複数の動作は、
前記発見タイミングと前記第１ＵＥの識別子を含む前記識別情報とを含む、前記ＥＰＣから前記第２ＵＥへの第２デバイス・ツー・デバイス接続要求を発行すること、および
前記第２デバイス・ツー・デバイス接続要求の確認に応答して、前記第１ＵＥへのデバイス・ツー・デバイス接続応答を発行すること
を含む、請求項１９から請求項２１のいずれか１つに記載のＥＰＣ。
【請求項２３】
前記第１ＵＥに提供された前記識別情報は、前記第２無線ネットワークを介して送信されたデバイス・ツー・デバイス通信を用いて前記第２ＵＥを認証するための認証情報を含み、前記第２ＵＥに提供された前記識別情報は、前記第２無線ネットワークを介して送信されたデバイス・ツー・デバイス通信を用いて前記第１ＵＥを認証するための認証情報を含む、請求項１９から請求項２２のいずれか１つに記載のＥＰＣ。
【請求項２４】
前記デバイス・ツー・デバイス通信は、３ＧＰＰロングタームエボリューションまたはロングタームエボリューション進化型規格ファミリー、ＩＥＥＥ８０２．１１規格ファミリー、ＩＥＥＥ８０２．１６規格ファミリー、またはブルートゥース（登録商標）特別利益団体規格ファミリーからの規格の使用に関連して、前記第２無線ネットワークで前記第１ＵＥと前記第２ＵＥとの間で、実行される、請求項２３に記載のＥＰＣ。
【発明の詳細な説明】
【技術分野】
【０００１】
［優先権出願］
本願は、２０１２年１２月１８日に出願された米国特許出願シリアル番号１３／７１８，７４５および２０１２年８月３日に出願された米国仮特許出願シリアル番号６１／６７９，６２７についての優先権の利益を主張し、それらの全体において参照することにより本明細書に組み込まれる。
【０００２】
複数の実施形態は、無線ネットワーク内の通信デバイスによって実行される動作および通信に関する。いくつかの実施形態は、無線ネットワークによって促進されるデバイス間のデバイス・ツー・デバイス（Ｄ２Ｄ）通信および認証技術に関する。
【背景技術】
【０００３】
Ｄ２Ｄ無線通信技術は、様々な状況でモバイルデバイスおよびネットワーク間のピア・ツー・ピア／ポイント・ツー・ポイント（Ｐ２Ｐ）通信を実行するために用いられてよい。モバイルデバイス間のＤ２Ｄ通信は、無線基地局からの集中通信、例えば、３ＧＰＰロングタームエボリューション／３ＧＰＰロングタームエボリューション進化型（ＬＴＥ／ＬＴＥ−Ａ）規格ファミリーからの規格で動作するキャリアネットワーク内の進化型ノードＢ（ｅＮｏｄｅＢ）から、またはＩＥＥＥ８０２．１１規格ファミリーからの規格で動作するＷｉ−Ｆｉネットワーク内のアクセスポイント（ＡＰ）からの集中ステーション・ツー・モバイル通信の使用を補完するように設計されてよい。
【０００４】
複数のＤ２Ｄ直接通信は、無線プロトコルの通信範囲または用いられるネットワーク構成内にあるデバイスに限定される。しかし、特定のユーザは、Ｄ２Ｄ通信可能なデバイスまたはＤ２Ｄ通信可能なデバイスに関連する既知のユーザが通信範囲内にいるかどうか、またはそのようなデバイスまたはユーザが現在いるか、または予め特定のユーザに近接しているかどうかを知らないかもしれない。近くのＤ２Ｄ可能なデバイスを探して見つけ出すために用いられる既存の発見技術は、概して、デバイスを発見するために詳細にわたる処理、応答、およびデータ交換を利用するブロードキャストおよび応答スキームの使用を伴う。
【図面の簡単な説明】
【０００５】
【図１】さらに記載される例に従ってオペレータ管理のネットワークを介してＤ２Ｄ通信を促進するためのネットワーク構成を示す。
【０００６】
【図２】さらに記載される例に従ってモバイルデバイス間のＤ２Ｄ通信を確立するためにオペレータ管理のネットワークを介して送信されるデータ動作を示す。
【０００７】
【図３】さらに記載される例に従ってネットワークオペレータを介してＤ２Ｄ接続を確立するためのデータシーケンスを示す。
【０００８】
【図４】さらに記載される例に従って既存のデータフローを有するデバイス間のネットワークオペレータを介したＤ２Ｄ接続を確立するためのデータシーケンスを示す。
【０００９】
【図５】さらに記載される例に従って接続されたＵＥ間のＤ２Ｄ接続を促進するための進化型パケットコアで実行される一例の動作フローのフローチャートを示す。
【００１０】
【図６】さらに記載される例に従って進化型パケットコアを用いた他のＵＥへのＤ２Ｄ接続を開始するためにＵＥで実行される一例の動作フローのフローチャートを示す。
【００１１】
【図７】本明細書で記載される構成および技術が展開される一例のモバイルデバイスを示す。
【００１２】
【図８】本明細書で記載されるコンピューティングまたはネットワーキングデバイスのためのコンピューティングプラットフォームとして用いられることができる例示的なコンピュータシステムを示す。
【発明を実施するための形態】
【００１３】
以下の説明および図面は、当業者が特定の実施形態を実行できるように特定の実施形態について十分に説明する。他の複数の実施形態は、構造的、論理、電気、処理およびその他の変更を組み込むことができる。いくつかの実施形態の部分および機能は、他の複数の実施形態において、または代用として包含されることができる。特許請求の範囲に記載された複数の実施形態は、特許請求の範囲について利用可能な等価物をすべて包含する。
【００１４】
本明細書で記載される様々な技術および構成は、モバイルデバイス間のＤ２Ｄ通信リンクを確立するためのネットワークアウェアネスおよび発見技術を提供する。これらの発見技術は、ネットワーク内の様々なＤ２Ｄ可能なデバイスの探索、およびデバイス間の認証を促進するために用いられることができる。近接のＤ２Ｄデバイスを発見および認証すると、近接のＤ２Ｄデバイス間のＤ２Ｄ通信リンクが、無線Ｄ２Ｄ通信リンクでのデータ交換を促進するために確立されることができる。Ｄ２Ｄ通信リンクは、様々な位置または近接ベースサービスに関連して、およびサービス管理およびリソースオフロードに関連して、展開されることができる。Ｄ２Ｄ通信リンクは、異なる無線ネットワーク（例えば、Ｗｉ−Ｆｉネットワーク）で生じ得る、またはＬＴＥベースの直接デバイス通信の変形であり得る。
【００１５】
いくつかの実施例において、キャリアネットワーク（例えば、セルラー無線アクセスネットワーク（ＲＡＮ））での通信におけるユーザ機器（ＵＥ）が、キャリアネットワークの進化型パケットコア（ＥＰＣ）からのＵＥ発見支援を要求できる。支援から得られる情報は、発見するＵＥに近接する他のＵＥの発見詳細に従って、Ｄ２Ｄ接続発見処理を支援するための情報を含みうる。ＥＰＣは、また、認証、セキュリティ、および識別情報を通信し、Ｄ２Ｄ発見および接続動作を調整するための期間を確立することができる。
【００１６】
Ｄ２Ｄ接続を確立するために用いられる既存の技術において、デバイスは、手動で（および多くの場合、継続的に）、近くのＤ２Ｄ可能なデバイスを探索すべく、無線媒体を介して接続の有用性をスキャンまたはブロードキャストする。そのような技術は、多くの場合、絶えず続くスキャンおよび関連する電力使用を伴う。さらに、近接のＤ２Ｄ可能なデバイスを発見したとしても、識別子および認証の問題が、Ｄ２Ｄ接続の確立を阻む。本明細書で記載される技術は、接続するＵＥへのキャリアネットワークから通信されたデータを介した共通の発見および識別メカニズムがＤ２Ｄ接続確立処理を促進することを可能にする。
【００１７】
ＬＴＥ／ＬＴＥ−Ａネットワーク環境において、ＥＰＣは、どのＵＥが公衆ランドモバイルネットワーク（ＰＬＭＮ）および特定のｅＮｏｄｅＢに関連していること、またはどのＵＥがアイドルモードで動作しているかを知っている。同様に、ＥＰＣは、また、ＵＥの領域をトラッキングすること、およびＵＥが複数の異なるｅＮｏｄｅＢを含むトラッキング領域で通信しているかどうかを知っている。ＥＰＣは、また、様々なＵＥの近接位置を維持するための位置サービスを維持することができる。本明細書で記載された技術を用いることで、ＵＥのこのトラッキングおよび位置情報が、直接通信のためのＤ２Ｄ接続の構築およびＤ２Ｄ可能なデバイスの発見の支援で使用されるために適用される。さらに、本明細書で記載される技術は、ＥＰＣによって管理されるＬＴＥ／ＬＴＥ−Ａネットワークのサービスエリアにわたって展開されることができ、単一無線ローカルエリアネットワーク（ＷＬＡＮ）アクセスポイントを超えた発見動作およびＤ２Ｄ接続の確立を拡張する。
【００１８】
図１は、一例に従ったキャリア管理ネットワークを介した直接Ｄ２Ｄ通信を促進するための一例のネットワーク構成１００の例を提供する。ネットワーク構成１００内で、一連のマルチモードモバイルデバイス（モバイルデバイス１０２Ａおよびモバイルデバイス１０２Ｂ）が、キャリア管理ネットワークおよびＤ２Ｄネットワークで通信するために構成される。キャリア管理ネットワークは、３ＧＰＰ  ＬＴＥ／ＬＴＥ−Ａまたは他の適した無線広域ネットワーク（ＷＷ  ＡＮ）プロトコルに従って動作でき、ＩＰネットワーク１０８へのデータの通信に向けて、ＥＰＣ１０６での動作中に、ｅＮｏｄｅＢ１０４からの無線ネットワーク通信を提供するための構成を含むことができる。キャリアネットワークは、ＬＴＥ／ＬＴＥ−Ａ通信リンク１１２Ａ、１１２Ｂのそれぞれを用いて、モバイルデバイス１０２Ａおよびモバイルデバイス１０２Ｂへのネットワーク通信を促進するために構成されてよい。
【００１９】
モバイルデバイス１０２Ａおよびモバイルデバイス１０２Ｂ間の通信は、インフラ通信リンク１１４を通じたＩＰネットワーク１０８を介して促進されるように説明される。インフラ通信リンク１１４は、モバイルデバイス１０２Ａおよびモバイルデバイス１０２Ｂが公衆キャリアネットワークに加入し、公衆ｅＮｏｄｅＢ１０４との通信を実行できるように確立される。しかし、インフラ通信リンク１１４は、別個の複数のｅＮｏｄｅＢまたは複数のキャリアネットワークの使用を伴って確立されることもできる。
【００２０】
モバイルデバイス１０２Ａおよびモバイルデバイス１０２Ｂとの間のＤ２Ｄ通信は、Ｄ２Ｄ通信リンク１１０を介して促進される。Ｄ２Ｄ通信リンク１１０は、（ＩＥＥＥ８０２．１１規格ファミリーからの規格に従って動作する）ＷＬＡＮ  Ｗｉ−Ｆｉ直接ネットワークプロトコル、または（ブルートゥース（登録商標）利益団体規格によって定義されるブルートゥース（登録商標）規格に従って動作する）ＷＰＡＮブルートゥース（登録商標）プロトコルなどのあらゆるＷＷ  ＡＮ、ＷＬＡＮ、または無線パーソナルエリアネットワーク（ＷＰＡＮ）プロトコルを利用できる。図示されるようにＤ２Ｄ通信リンク１１０は、デバイス間の直接ポイント・ツー・ポイント通信に対して構成されてよいが、間接的ピア・ツー・ピアおよびマルチモード接続を介して促進されてもよい。
【００２１】
Ｄ２Ｄ通信リンクを確立するためのキャリアネットワークでの動作は、キャリアネットワークのシステム内、例えばＥＰＣ１０６内で実行されてよい。ＥＰＣ１０６の動作は、モバイルデバイス１０２Ａの観点からのモバイルデバイス１０２Ｂの発見を支援すること、およびモバイルデバイス１０２Ｂの観点からのモバイルデバイス１０２Ａの発見を支援することを含んでよい。例えば、モバイルデバイス１０２Ａは、モバイルデバイス１０２Ｂが近くにいる（例えば、通信範囲内にいる）のではないかいと疑う、さもなければ通知され、あるいは、さもなければ、モバイルデバイス１０２Ｂへの接続を試みることを望んだ場合、モバイルデバイス１０２Ａは、ＥＰＣ１０６からのＤ２Ｄ発見支援を要求できる。一例として、ＥＰＣ１０６は、デバイスがＤ２Ｄ接続の確立を許可するかどうか、モバイルデバイス１０２Ｂに確認するための動作を実行し、Ｄ２Ｄ発見および接続動作を支援するための情報を交換してよい。他の実施例として、オペレータは、データベースにこれらの種類の許可も格納し、ユーザが許可に関する実際の問合せをする前に他のユーザによってアクセスを許可するかどうかを調べるためにそれらをチェックしてよい。（ユーザは、例えば、ネットワークに登録する場合、これらのＤ２Ｄ許可のネットワークを通知してよい。）したがって、Ｄ２Ｄ接続の確立が許可されているかどうかを確認するための動作は、Ｄ２Ｄ接続の確立または特定のＤ２Ｄ接続タイプを検証するためのポリシーの組み合わせまたはユーザの意思疎通を含んでよい。
【００２２】
図２は、一例に従ってモバイルデバイス１０２Ａとモバイルデバイス１０２Ｂとの間のＤ２Ｄ通信リンク１１０を確立するためにキャリア管理ネットワークを介して送信される例のデータ動作２００の図を提供する。モバイルデバイスは、ｅＮｏｄｅＢ１０４との様々な通信を介してキャリア管理ネットワークと接続する。さらに後述および図３−６の動作フローおよびフローチャートの参照のとおり、ｅＮｏｄｅＢ１０４を介したキャリア管理ネットワーク内で送信されたデータ動作２００は、Ｄ２Ｄ接続の確立に関連する様々なデータ更新、要求および応答の交換および調整を含む。
【００２３】
図２に図示されるように、一連の位置更新メッセージ２０２Ａ、２０２Ｂは、モバイルデバイス（モバイルデバイス１０２Ａおよびモバイルデバイス１０２Ｂ）のそれぞれから提供されてよい。位置更新メッセージ２０２Ａ、２０２Ｂは、キャリア管理ネットワークによって管理される既存の位置サービスまたは位置管理データと組み合わせられてよい（またはＥＰＣ１０６に通信された位置データに組み込まれる）。位置更新メッセージ２０２Ａ、２０２Ｂからの位置情報は、例えば、モバイルデバイスが互いに近接しているかどうかおよびＤ２Ｄ通信リンク１１０を確立するための範囲内にいるかどうかを決定するために、キャリアネットワークによって用いられてよい。位置更新メッセージ２０２Ａ、２０２Ｂからの位置情報は、また、ＥＰＣ１０６の位置サービス（例えば、位置サーバ）、またはＵＥの近接または正確な位置をトラッキングするキャリアベースネットワークの他の部分に関連して調整されてよい。
【００２４】
位置更新メッセージ２０２Ａ、２０２Ｂからの位置情報は、Ｄ２Ｄ通信リンク１１０を確立するための通信範囲内の近接するモバイルデバイスのペアを検出し認証するために用いられてよい。例えば、モバイルデバイス１０２Ａが、モバイルデバイス１０２Ｂが近接している（または、さもなくばモバイルデバイス１０２ＡへのＤ２Ｄ接続を開始することを決定する）のではないかと判断すると、モバイルデバイス１０２Ａは、モバイルデバイス１０２Ｂに対するオペレータネットワーク（例えば、ＥＰＣ１０６）からのデバイス発見支援を要求する。デバイス発見支援の要求は、ｅＮｏｄｅＢ１０４を介してモバイルデバイス１０２Ａからオペレータネットワークへ送信される１または複数のＵＥ位置要求２０４を介してモバイルデバイス１０２Ａから送信されてよい。
【００２５】
ＵＥ位置要求２０４などのＵＥ位置要求に応答して、キャリア管理ネットワークは、モバイルデバイス１０２Ｂが、発見可能か（例えば、他のデバイスがモバイルデバイス１０２Ｂを発見することを許可しているか）どうか、またはさもなくばモバイルデバイス１０２ＡとのＤ２Ｄ接続を確立することに興味があるかどうかを検証してよい。検証は、ネットワークレベルのデータベース内のＤ２Ｄの許可（許可はＵＥ登録の間にまたは事前の問い合わせを介して確立される）を確認することにより実行されてよく、検証は、モバイルデバイス１０２ＢへのＤ２Ｄ接続要求２０８の送信、およびモバイルデバイス１０２ＢからのＤ２Ｄ接続応答２１０の受信を含む。ユーザインタフェースプロンプトまたはポリシー検証などの動作は、Ｄ２Ｄ接続を確立するための許可を得るためにモバイルデバイス１０２Ｂで、またはモバイルデバイス１０２Ｂの代わりに実行されてよい。
【００２６】
一度、キャリア管理ネットワークが、モバイルデバイス１０２Ａがモバイルデバイス１０２Ｂに直接接続することの許可を検証すると、キャリアベースネットワークは、Ｄ２Ｄ接続確立を支援するための情報を１または両方のＵＥに提供してよい。例えば、これは、ｅＮｏｄｅＢ１０４を介して受信されたＵＥ位置応答２０６で通信されるモバイルデバイス１０２Ａへ通信されるデバイス発見情報を含んでよい。このデバイス発見情報は、発見が有効な間の期間などの接続を確立するための複数のパラメータも含んでよい。
【００２７】
発見が有効である期間の間に、Ｄ２Ｄ通信リンク１１０を開始するＵＥ（発見するＵＥ、例えばモバイルデバイス１０２Ａ）は、ＥＰＣ１０６から得られるデバイス発見情報によって支援される発見されるＵＥへの接続を探索および確立するための発見動作を実行してよい。例えば、互いに近接しているようなＥＰＣ１０６によって特定されるＵＥは、ブルートゥース（登録商標）「デバイス発見」またはＷｉ−Ｆｉ「Ｐ２Ｐ発見」モードなどの複数の規格ネットワークスキャン手順を利用したＤ２Ｄ通信プロトコルを用いて特定されてよい。さらなる例において、ＵＥ位置要求２０４およびＵＥ位置応答２０６は、発見されるＵＥへの接続を探索および確立するために発見するデバイスによって用いられる通信パラメータに関する情報、認証情報、セキュリティ情報または他の情報を得るために用いられてよい。
【００２８】
図３は、ネットワークオペレータによって管理されるＥＰＣ３０６のデータ動作２００と協調して、ユーザデバイス（ＵＥ  Ａ３０２およびＵＥ  Ｂ３０４）のペアの間のＤ２Ｄ接続を確立するためのデータシーケンス３００の例示的な図示を提供する。データシーケンス３００は、ペア間にＥＰＣ３０６を介して確立された前より存在するデータフローまたは接続がない場合、ＵＥ  Ａ３０２とＵＥ  Ｂ３０４との間のＤ２Ｄ接続の確立についての説明として図示される。
【００２９】
まず、ＵＥ  Ａ３０２およびＵＥ  Ｂ３０４は、ＥＰＣ３０６とともに、断続的な位置更新を実行する（動作３１０Ａ、３１０Ｂ）。位置更新は、ＵＥ  Ａ３０２およびＵＥ  Ｂ３０４のそれぞれに対する現在の位置についてＥＰＣ３０６が通知されることを可能にする。いくつかの実施例において、位置更新で通信される情報は、ネットワーク対象エリアに関連する位置、ＵＥのより広い地理的エリアに関連する位置、または特定の決定された地理的位置を含む。他の実施例において、位置更新は、ＵＥと通信するネットワークの部分に関連する情報を含む。  他の技術が、ＵＥが近接にいないかどうかを決定するために用いられてよい。例えば、ＵＥ  Ａ３０２は、ＵＥ  Ｂ３０４が取り付けられるＰＬＭＮと同じ場所に配置されていないＰＬＭＮに取り付けられる場合には、ＥＰＣ３０６はＤ２Ｄ通信についてＵＥが近接していないことを結論付けることができる。
【００３０】
次に、ＥＰＣ３０６は、ＵＥ  Ａ３０２がメッセージのリストに載っているＵＥと通信したいという通知を受信する。この通知は、ＵＥ発見要求メッセージ内で送信されるＵＥ  Ａ３０２からの直接要求を介して生じうる（動作３１２）、またはコアネットワークで高レベル通知を介して生じうる。この通知は、１回のみの事象を示してよい、またはその通知は、ＵＥが現在近接していなければ、多少の期間が経過するまで試みを継続することを示してもよい。ＵＥ発見要求メッセージは、１または複数の特定のＵＥ、ＵＥのグループ、またはいずれかのＤ２Ｄ可能なＵＥの位置を検証するための指標を提供してよい。例えば、図３に図示されるように、発見要求は、複数のＵＥ（ＵＥ  Ｂ、ＵＥ  Ｃ、ＵＥ  Ｄ）に対して発行される。ＵＥ発見要求メッセージは、ＵＥがちょうど特定のＵＥ（またはＵＥのタイプ）が近くにあるかどうかを知りたいかどうか、またはＵＥが（例えば、直接Ｄ２Ｄ通信リンクを確立するための識別子および共通発見期間情報を得るために）、直接発見処理においてキャリアネットワークから支援を受信したいかどうかを示してよい。
【００３１】
ＥＰＣ３０６は、ＵＥ  Ａ３０２が通知内のいずれかのＵＥの近くにいるかどうかをチェックする（動作３１４）。ＵＥ位置更新（動作３１０Ａ、３１０Ｂ）から得られる情報は、この決定に対してＥＰＣ３０６によって用いられてよい。他の実施例において、ネットワークオペレータは、例えば、複数のＵＥが同じｅＮｏｄｅＢに関連しているか、特定の複数のｅＮｏｄｅＢまたはネットワークサブシステムと通信しているかどうかを近接の基準として用いてよい。
【００３２】
１つのシナリオで、ＥＰＣ３０６は、ＵＥ  Ａ３０２がＵＥ位置更新が要求された複数のＵＥと接続できるかどうかを検証するために、既存のＵＥ情報データベースをチェックしてよい。他のシナリオで、接続要求および応答交換は、通知内の接続について示されるＥＰＣ３０６といずれかの候補となるデバイス（例えば、ＵＥ  Ｂ３０４）との間で実行されてよい。これは、Ｄ２Ｄ接続の確立を試みるための確認を要求するためのＵＥ  Ｂ３０４へのＤ２Ｄ接続要求（動作３１６）の送信を含んでよい。Ｄ２Ｄ接続の確立を試みることの承認または否認は、ＥＰＣ３０６に戻ってくるＤ２Ｄ接続応答（動作３１８）の送信で示されてよい。
【００３３】
ＵＥ  Ａ３０２およびＵＥ  Ｂ３０４が近接していること、およびＵＥ  Ｂ３０４への接続要求が承認されたことを確認すると、ＥＰＣ３０６は、発見するデバイス（ＵＥ  Ａ３０２）へＵＥ発見応答（動作３２０）を送信する。  ＥＰＣ３０６は、また、発見情報のようなデバイス識別子を捜す発見動作を特定の時間で従事していることを両方のＵＥが通知されるように、ＵＥ  Ｂ３０４にＵＥ発見応答を送信してよい。したがって、ＵＥ発見応答は、ＵＥデバイスがＤ２Ｄ発見手順の間に互いを探すことができる相互特定情報を含んでよい。ＵＥ発見応答は、また、発見処理を促進する、またはさもなくば発見タイミングを調整する相互または共通の発見期間に関連する情報を含んでよい。いくつかの実施例において、ＥＰＣ３０６は、ＵＥ  Ａ３０２に発見情報を送信する処理の前に、まず、ＵＥ  Ｂ３０４がＤ２Ｄ接続要求（動作３１８）を確認するのを待ってよく、他の実施例において、ポリシーベース決定は、ＵＥ  Ｂ３０４の代わりにＤ２Ｄ接続要求を確認するかどうかにより行われてよい。
【００３４】
ＥＰＣ３０６から得られる情報を用いて、ＵＥ  Ａ３０２およびＵＥ  Ｂ３０４は、Ｄ２Ｄ発見および接続確立を含むＤ２Ｄ通信リンクを確立するための動作（動作３２２）を実行する。Ｄ２Ｄ通信リンクを確立するための動作のタイミングは、発見期間３２４に関連して提供されてよい。上述のとおり、ＥＰＣは、発見タイミングを調整し、ＵＥ  Ａ３０２およびＵＥ  Ｂ３０４に発見期間３２４の指標を提供する。他の実施例において、ＥＰＣ３０６は、まず、発見期間３２４について相互同意を確立するためにＵＥのそれぞれにネゴシエーションを試みてよい。発見および接続確立のタイミングは、開始時間、開始および終了時間、または他の信号により示されてよい。
【００３５】
動作３２２に関連して、それらのＵＥは、ＥＰＣ３０６により提供される識別情報を用いて、提案された発見期間３２４の間に、互いを発見し、Ｄ２Ｄ通信リンクを確立するよう試みる。通信リンクの確立の失敗が、ＥＰＣ３０６へ通信される（そして、Ｄ２Ｄ通信リンクの確立の再試するための追加の情報を得るために用いられる）、または他のＵＥへ接続されてよい。
【００３６】
図４は、ＵＥ  Ａ３０２およびＵＥ  Ｂ３０４との間に前より存在するデータフローがある場合に、ネットワークオペレータによって管理されるＥＰＣ３０６を介して、ＵＥ  Ａ３０２とＵＥ  Ｂ３０４との間にＤ２Ｄ接続を確立するためのデータシーケンス４００の例示的な図示を提供する。データシーケンス４００は、ＥＰＣ３０６を介して促進されるデバイスペア間のデータフローまたは接続がある場合に、ＵＥ  Ａ４１２ＡとＵＥ  Ｂ４１２Ｂとの通信リンクを介してデバイスペア間にＤ２Ｄ接続を確立するための説明として図示している。
【００３７】
図４は、それらのＵＥが他のＵＥと通信するようにそれらのＵＥがＤ２Ｄ通信近接内へ移動する（例えば、前より存在するデータフロー）シナリオを図示する。この例では、ＵＥ  Ａ３０２は、ＵＥ  Ｂ３０４との通信に従事され、ベアラーパスが、ＥＰＣ３０６のインフラを介してＩＰネットワークで確立される。
【００３８】
ＥＰＣ３０６は、それらのＵＥの位置を監視し、それらが近接に移動するかどうかおよびいつ移動するかを決定する。ＵＥ  Ａ３０２およびＵＥ  Ｂ３０４の位置は、ＧＰＳセンサ、共通ネットワーク接続に基づく近接（２つのＵＥが同じまたは同じ場所に配置されたｅＮｏｄｅＢを介してネットワークに接続されている場合など）、または本明細書で開示されるいずれかの他の位置サービスおよび技術などの位置測定に関連して決定されてよい。位置監視動作は、自律的、ネットワークポリシーにより実行され、または、ＵＥによる要求ごとに実行されてよい。
【００３９】
ＵＥ  Ａ３０２およびＵＥ  Ｂ３０４が近接しているとＥＰＣ３０６が検出する場合、ＥＰＣ３０６は、Ｄ２Ｄ接続要求をそれらのＵＥに提供する。  これらの接続要求は、（発見処理を促進するための）相互／共通発見期間などの（Ｄ２Ｄ接続発見の間に互いに探索および接続するための）相互識別情報および追加の情報を含む。図示するように、これは、ＵＥ  Ｂ３０４に提供されるＤ２Ｄ接続要求（動作４１６）の使用、続くＵＥ  Ｂ３０４から提供されるＤ２Ｄ接続応答（動作４１８）を含んでよく、これは、また、ＵＥ  Ａ３０２に提供されるＤ２Ｄ接続要求（動作４２０）の使用とともにＤ２Ｄ接続応答（動作４２２）を含んでよい。
【００４０】
ＵＥ  Ａ３０２およびＵＥ  Ｂ３０４に示される（例えば、それぞれのＤ２Ｄ接続要求）発見期間（期間４２６）の間に、それらのＵＥは、互いに発見およびＤ２Ｄ通信リンクの確立を試みる（動作４２４）。それらのＵＥでの発見および接続確立動作は、ＥＰＣ３０６により提供される（例えば、それぞれのＤ２Ｄ接続要求内の）相互識別情報、認証情報および他の情報を利用する。
【００４１】
図５は、一例に従って、特定されたＵＥ間のＤ２Ｄ接続を開始するためにＥＰＣで実行される動作フロー５００の例示的な図示を提供する。ＥＰＣで、ＵＥの位置およびステータスに関連する様々な情報が管理される。この情報は、受信されたＤ２Ｄ位置更新の処理および抽出から変更されてよい（動作５１０）。
【００４２】
ＥＰＣにより促進されるデータ接続が、それらのＵＥ間に存在しない場合、要求（例えば、Ｄ２Ｄ位置要求）は、ＥＰＣによって処理され（動作５３０）、Ｄ２Ｄ通信リンクを確立するための動作をトリガする。ＥＰＣにより促進される既存のデータ接続が、それらのＵＥ間に存在する場合、接続されたＵＥの近接が、Ｄ２Ｄ通信リンクを確立するための動作をトリガすべく、検出される（動作５４０）。
【００４３】
Ｄ２Ｄデバイス近接は、複数の発見可能なデバイスの正確な位置を確認するためにＥＰＣによって決定される（動作５５０）。それらのＵＥのペアが、Ｄ２Ｄ通信において近接にあると決定されると、ＥＰＣは、１または複数の近接のデバイスにＤ２Ｄ接続要求を発行して（動作５６０）、Ｄ２Ｄ接続の確立のための同意を得てもよい。デバイス間の接続が存在しない場合には、Ｄ２Ｄ接続要求は、発見されるデバイス（要求されるデバイス）に提供される。デバイス間の接続が存在する場合には、Ｄ２Ｄ接続要求は、両方のデバイスに提供される。
【００４４】
Ｄ２Ｄ接続要求に対する応答は、近接のデバイスからＥＰＣで受信される（動作５７０）。この応答が肯定である場合、ＥＰＣは、発見、認証および近接のデバイス間のＤ２Ｄ通信リンクの確立を促進するべく、近接のデバイスに情報を提供する（動作５８０）。この情報は、１または複数のメッセージ内で、またはそれらのＵＥからの特定のクエリに応答して、通信されてよい。
【００４５】
図６は、一例に従ってキャリアネットワークのＥＰＣによる支援で他のＵＥへのＤ２Ｄ接続を開始するためにＵＥで実行される動作フロー６００の例示的な図示を提供する。動作フロー６００は、発見するＵＥによって実行され、ＥＰＣとともに断続的な位置更新を実行することを含んでよい（動作６１０）。これらの位置更新は、ＵＥでのネットワーク動作に応答して提供されてよい。他の実施例において、位置更新は、スケジューリングされたまたは予め定められた間隔に基づいてＥＰＣに提供されてよい。
【００４６】
発見するＵＥは、１または複数の決定されたＵＥと確立されるためのＤ２Ｄ接続リンクを要求してよい（動作６２０）。１または複数の決定されたＵＥは、特定のＵＥ（例えば、特定のユーザ、接続、または識別子およびアドレスに関連付けられたデバイス）の識別子、または特定の接続基準を満たすいずれかの利用可能なＵＥの識別子を含んでよい。発見するＵＥは、キャリアネットワークのパラメータに従ってまたは様々なＵＥからの接続要求応答に応答して決定されたキャリアネットワークからのＤ２Ｄ接続要求に対する応答メッセージを受信してよい（動作６３０）。
【００４７】
特定のＵＥが接続に利用可能であることを示すキャリアネットワークからの応答メッセージに続いて、特定のＵＥに対する接続情報を処理してよい（動作６４０）。この接続情報は、直接またはＰ２Ｐネットワーク接続を用いて特定のＵＥに対するＤ２Ｄ通信リンクを確立するために利用可能である。発見または接続確立期間の指標を含む他の関連情報が、応答メッセージ内で通信されてよい。
【００４８】
それらのＵＥは、発見期間の間に開始される直接またはＰ２Ｐネットワーク接続を介して互いにＤ２Ｄ通信リンクを確立することを共同または別々に試みる（動作６５０）。接続確立は、キャリアネットワークからの応答メッセージで提供される接続情報を少なくとも部分的に利用する。ネットワーク接続の確立に成功すると、Ｄ２Ｄデバイスは、接続されたデバイスへの直接または間接的ネットワーク接続を介してＤ２Ｄ通信を実行してよい（動作６６０）。
【００４９】
Ｄ２Ｄ接続の上記各例は、３ＧＰＰ  ＬＴＥ／ＬＴＥ−ＡおよびＷｉ−Ｆｉ（ＩＥＥＥ８０２．１１）通信に特に関連して提供されるけれども、様々な他のＷＷＡＮ、ＷＬＡＮ、およびＷＰＡＮプロトコルおよび規格が本明細書で記載される技術に関連して用いられてよい。これらの規格は、限定されないが、３ＧＰＰ（例えば、ＬＴＥ、ＬＴＥ−Ａ、ＨＳＰＡ＋、ＵＭＴＳ）、ＩＥＥＥ８０２．１１（例えば、８０２．１１ａ、８０２．１１ｂ、８０２．１１ｇ、８０２．１１η、８０２．１１ａｃ）、８０２．１６（例えば、８０２．１６ｐ）、またはブルートゥース（登録商標）（例えば、ブルートゥース４．０、またはブルートゥース（登録商標）特定利益団体によって定義される他の規格）規格ファミリーからの規格を含む。本明細書で用いられるようなブルートゥース（登録商標）は、ブルートゥース（登録商標）特定利益団体により定義される短距離デジタル通信プロトコルを参照してよく、そのプロトコルは、２．４ＧＨｚスペクトルで動作する短距離無線プロトコル周波数ホッピングスペクトル拡散（ＦＨＳＳ）通信技術を含む。デバイス・ツー・デバイス、マシン・ツー・マシンおよびＰ２Ｐ通信を促進することができる他の通信規格が、現在記載されている技術に関連して用いられてよい。さらに、キャリアネットワークの上記各例は、３ＧＰＰ  ＬＴＥ／ＬＴＥ−ＡセルラーＲＡＮおよびＥＰＣに特に関連して提供されるけれども、他の広域エリアネットワークプロトコルおよびシステム構成が、本明細書に記載された技術に関連して用いられることが理解されるだろう。
【００５０】
本明細書で記載されるように、様々な方法または技術、あるいは特定の態様またはそれに関連する部分が、フラッシュメモリ、ＣＤ／ＤＶＤ−ＲＯＭ、ハードドライブ、ポータブル記憶デバイス、またはいずれかの他のマシン可読記憶媒体などの有形の媒体で実装されるプログラムコード（例えば、命令）の形態をとりうる。そして、プログラムコードは、コンピュータなどのマシンにロードされ実行される場合、マシンは、様々な技術を実行する装置になる。プログラマブルコンピュータ上のプログラムコードの実行の場合、コンピューティングデバイスは、プロセッサ、（揮発性および不揮発性メモリ、および／または記憶要素を含む）プロセッサにより読み取り可能な記録媒体、少なくとも１つの入力デバイス、および少なくとも１つの出力デバイスを含んでよい。本明細書で記載される様々な技術を実施または利用できる１または複数のプログラムは、アプリケーションプログラミングインタフェース（ＡＰＩ）リユーザブルコントロールなどを使用できる。そのようなプログラムは、コンピュータシステムと通信する高水準手順型またはオブジェクト指向プログラミング言語で実装されてよい。しかし、プログラムは、必要に応じて、アセンブリ言語またはマシン言語で実装されてよい。いずれの場合であっても、言語は、コンパイラ型言語またはインタプリタ型言語でよく、ハードウェア実装と組み合わされてよい。
【００５１】
図７は、ユーザ機器（ＵＥ）、移動局（ＭＳ）、モバイル無線デバイス、モバイル通信デバイス、タブレット、ハンドセット、またはその他のタイプのモバイル無線デバイスなどのモバイルデバイス７００の例示的な図示を提供する。モバイルデバイス７００は、基地局（ＢＳ）、ｅＮｏｄｅＢ、または他のタイプの無線広域ネットワーク（ＷＷＡＮ）アクセスポイントと通信するように構成された筐体７０２内の１または複数のアンテナ７０８を含んでよい。モバイルデバイスは、３ＧＰＰ  ＬＴＥ、ＷｉＭＡＸ（登録商標）、高速パケットアクセス（ＨＳＰＡ）、ブルートゥース（登録商標）およびＷｉ−Ｆｉを含む少なくとも１つの無線通信規格を用いて通信するよう構成され得る。モバイルデバイス７００は、各無線通信規格に対する別個のアンテナまたは複数の無線通信規格に対する共有アンテナを用いて通信してよい。モバイルデバイス７００は、ＷＬＡＮ、ＷＰＡＮ、および／またはＷＷＡＮで通信してよい。
【００５２】
図７は、また、モバイルデバイス７００からの音声入出力のために用いられてよいマイク７２０および１または複数のスピーカ７１２の図示を提供する。ディスプレイ画面７０４は、液晶ディスプレイ（ＬＣＤ）スクリーン、または有機発光ダイオード（ＯＬＥＤ）ディスプレイなどの他のタイプのディスプレイ画面でよい。ディスプレイ画面７０４は、タッチスクリーンとして構成されてよい。タッチスクリーンは、容量性、抵抗性、または他のタイプタッチスクリーン技術を使用できる。アプリケーションプロセッサ７１４およびグラフィックスプロセッサ７１８は、処理およびディスプレイ機能を提供するために内部メモリ７１６に結合されてよい。不揮発性メモリポート７１０は、また、ユーザに対するデータ入出力オプションを提供するために用いられてよい。不揮発性メモリポート７１０は、また、モバイルデバイス７００のメモリ機能を拡張するために用いられてよい。キーボード７０６は、モバイルデバイス７００に組み込まれ、または追加のユーザ入力を提供するモバイルデバイス７００に無線接続されてよい。仮想的なキーボードが、タッチスクリーンを用いて提供されてもよい。モバイルデバイス７００の前（ディスプレイ画面）側または後側に配置されたカメラ７２２が、モバイルデバイス７００の筐体７０２内に組み込まれてもよい。
【００５３】
図８は、本明細書で記載されている１または複数の手法が実行される一例のコンピュータシステムを図示するブロック図である。コンピュータシステム８００は、（図１および図７に示す）コンピューティングデバイス１０４、モバイルデバイス１０６、モバイルデバイス７００、または本明細書で記載または参照されるいずれかの他のコンピューティングプラットフォームとして実装されてよい。代替の実施例において、機械は、スタンドアロンデバイスとして動作し、他の機械に接続（例えば、ネットワーク接続）されてよい。  ネットワーク接続配置において、機械は、サーバクライアントネットワーク環境におけるサーバまたはクライアントのいずれかの能力で実行されてよく、または機械は、ピア・ツー・ピア（または分配）ネットワーク環境におけるピア機械として動作してよい。機械は、ポータブル可能なまたは不可能なパーソナルコンピュータ（ＰＣ）（例えば、ノートブックまたはネットブック）、タブレット、セットトップボックス（ＳＴＢ）、ゲーム機、携帯情報端末（ＰＤＡ）、携帯電話、またはスマートフォン、ウェブアプライアンス、ネットワークルータ、スイッチまたはブリッジ、または機械によって実行されるアクションを特定する（シーケンシャルまたは別の）命令を実行できるいずれかの機械でよい。さらに、単一の機械のみが図示されているが、用語「機械（マシン）」は、本明細書で記載されている１または複数の手法のいずれかを実行するための一セット（または複数のセット）の命令を個別または共同で実行するいずれの機械の集合を含むように考慮されてもよい。
【００５４】
例示的なコンピュータシステム８００は、相互接続８０８（例えば、リンク、バスなど）を介して互いに通信するプロセッサ８０２（例えば、中央処理装置（ＣＰＵ）、グラフィクスプロセッシングユニット（ＧＰＵ）、またはそれらの両方）、メインメモリ８０４、およびスタティックメモリ８０６を含む。コンピュータシステム８００は、さらに、ビデオディスプレイ装置８１０、英数字入力デバイス８１２（例えば、キーボード）、およびユーザインタフェース（ＵＩ）ナビゲーションデバイス８１４（例えば、マウス）を含んでよい。一実施形態において、ビデオディスプレイ装置８１０、入力デバイス８１２、およびＵＩナビゲーションデバイス８１４は、タッチスクリーンディスプレイである。コンピュータシステム８００は、追加的に記憶デバイス８１６（例えば、ドライブユニット）、信号生成デバイス８１８（例えば、スピーカ）、出力コントローラ８３２、電力管理コントローラ８３４、および（１または複数のアンテナ８３０、送受信機、または他の無線通信ハードウェアを含む、または動作可能に通信できる）ネットワークインターフェースデバイス８２０、およびＧＰＳセンサ、コンパス、位置センサ、加速度計、または他のセンサなどの１または複数のセンサ８２８を含んでよい。
【００５５】
記憶デバイス８１６は、本明細書で記載される１または複数の手法または機能のいずれかによって実装または利用される１または複数のセットのデータ構造および命令８２４（例えば、ソフトウェア）が格納された機械可読媒体８２２を含む。命令８２４は、メインメモリ８０４、スタティックメモリ８０６内に、および／または、メインメモリ８０４、スタティックメモリ８０６、およびプロセッサ８０２も構成する機械可読媒体とともにコンピュータシステム８００によって実行中のプロセッサ８０２内に、完全にまたは少なくとも部分的に存在してもよい。
【００５６】
機械可読媒体８２２は、１つの媒体になる例示的な実施形態で説明されている。しかしながら、用語「機械可読媒体」は、１または複数の命令８２４を格納する（例えば、集中または分配データベース、および／または関連するキャッシュおよびサーバ）１つの媒体または複数の媒体を含んでよい。用語「機械可読媒体」は、機械によって実行される命令を格納、符号化、または搬送できる、および、本開示の１または複数の手法を機械に実行される、または、利用されるまたはそのような命令に関連するデータ構造を格納、符号化、または搬送できるいかなる有形の媒体を含むことも考慮されるべきである。従って、用語「機械可読媒体」は、限定はされないが、ソリッドステートメモリ、光および磁気媒体を含むように考慮されるべきである。特定の例の機械可読媒体は、不揮発性メモリを含み、例として、半導体メモリデバイス（例えば、電気的プログラマブル読取り専用メモリ（ＥＰＲＯＭ）、電気的消去可能プログラマブル読取り専用メモリ（ＥＥＰＲＯＭ）およびフラッシュメモリデバイス）、内部ハードディスクおよびリムーバルディスクなどの磁気ディスク、磁気光ディスクおよびＣＤ−ＲＯＭ、およびＤＶＤ−ＲＯＭディスクを含む。
【００５７】
命令８２４は、さらに、多数の周知の伝送プロトコル（例えば、ＨＴＴＰ）のいずれか１つを利用するネットワークインターフェースデバイス８２０を介した伝送媒体を用いて通信ネットワーク８２６で送信または受信されてよい。複数の例の通信ネットワークは、ローカルエリアネットワーク（ＬＡＮ）、広域エリアネットワーク（ＷＡＮ）、インターネット、携帯電話ネットワーク、プレインオールド電話（ＰＯＴＳ）ネットワーク、及び無線データネットワーク（例えば、Ｗｉ−Ｆｉ、３Ｇおよび４Ｇ  ＬＴＥ／ＬＴＥ−ＡまたはＷｉＭＡＸ（登録商標）ネットワーク）を含む。用語「伝送媒体」は、機械により実行される命令を格納、符号化または搬送できるいずれかの無形の媒体を含むことを考慮されるべきであり、そのようなソフトウェアの通信を促進するためのデジタルまたはアナログ通信信号、または他の無形の媒体を含む。
【００５８】
他の適用可能なネットワーク構成は、通信ネットワークについて現在記載れている範囲内で含みうる。複数の例は、ローカルエリア無線ネットワーク構成および広域エリアネットワーク構成、および広域エリアインターネットネットワーク接続に関連して提供されるけれども、通信は、有線または無線伝送媒体のいかなる組み合わせを使用して、あらゆるパーソナルエリアネットワーク、ＬＡＮ、およびＷＡＮを使用することを促進されてもよいことは理解されるだろう。
【００５９】
上述の実施形態は、ハードウェア、ファームウェア、およびソフトウェアの１つまたは組み合わせで実装されてよい。実施形態は、本明細書で記載された動作を実行する少なくとも１つのプロセッサにより読み出され実行されるうるコンピュータ可読記憶デバイスに格納された命令として実行されてもよい。コンピュータ可読記憶デバイスは、機械（例えば、コンピュータ）によって可読な形な形式で情報を格納するいずれかの非一時的メカニズムを含んでよい。例えば、コンピュータ可読記憶デバイスは、リードオンリーメモリ（ＲＯＭ）、ランダムアクセスメモリ（ＲＡＭ）、磁気ディスク記録媒体、光学ストレージ媒体、フラッシュメモリデバイス、および他の記憶デバイスおよび媒体を含んでよい。
【００６０】
本明細書で記載された機能ユニットまたは機能は、それらの実装を独立して一層特に強調すべく、複数のコンポーネントまたはモジュールとして参照または称呼されることを理解されるべきである。例えば、コンポーネントまたはモジュールは、カスタム化超大規模集積（ＶＬＳＩ）回路またはゲートアレイ、論理チップ、トランジスタ、または他の個別のコンポーネントなどのオフシェル半導体を含むハードウェア回路として実装されてよい。コンポーネントまたはモジュールは、フィールドプログラマブルゲートアレイ、プログラマブルアレイロジック、プログラマブルロジックデバイス、または同種のものなどのプログラマブルハードウェアデバイスに実装されてもよい。コンポーネントまたはモジュールは、様々なタイプのプロセッサによって実行されるソフトウェアで実装されてもよい。コードを実行可能な識別されたコンポーネントまたはモジュールは、例えば、オブジェクト、手順または機能として編成されうるコンピュータ命令の１または複数の物理または論理ブロックを例えば、含んでよい。それでもなお、特定のコンポーネントまたはモジュールの実行可能性は、物理的に一緒に配置される必要はないが、論理的に一緒に結合された場合、コンポーネントまたはモジュールを含み、コンポーネントまたはモジュールについて述べられた目的を達成する異なる位置に格納される完全に異なる命令を含んでよい。
【００６１】
代わりに、実行可能なコードのコンポーネントまたはモジュールは、単一の命令または複数の命令でよく、異なるプログラム間、およびいくつかのメモリデバイスに亘って、いくつかの異なるコードセグメントに分配され得る。同様に、処理データは、コンポーネントまたはモジュールの範囲内で本明細書で特定され、図示されることができ、いずれかの適した形態で実装され、データ構造のいずれかの適したタイプの範囲内で編成されうる。処理データは、単一のデータセットとして収集されることができ、異なる記憶デバイス上に含まれる異なる位置上に分配されることができ、少なくとも部分的に、システムまたはネットワーク上の単なる電子信号として実行されてよい。コンポーネントまたはモジュールは、要求される機能を実行する動作可能なエージェントを受動的または活動的に含んでいてもよい。
【００６２】
追加的な例として現在記載されている方法、システムおよびデバイスの実施形態は、以下の限定されない構成を含む。以下の限定されない例のそれぞれは、それ自体で成立でき、または本開示を通じてまたはいかに提供される他のいずれかの１または複数の他の例と置き換えまたは組み合わせと組み合わされてよい。
【００６３】
例１は、ネットワーク支援を用いてデバイス・ツー・デバイス無線接続を確立するためのデバイス（例えば、ユーザ機器（ＵＥ））によって実行される方法によって実施される主題を含む。その方法は、第１無線ネットワークの進化型パケットコア（ＥＰＣ）にＵＥの位置情報を提供する段階であって、第１無線ネットワークは、３ＧＰＰロングタームエボシューションまたは３ＧＰＰロングタームエボリューション進化型（ＬＴＥ／ＬＴＥ−Ａ）無線ネットワークの１つであり、ＵＥはＥＰＣと通信する、段落と、第２ＵＥと接続するためにＥＰＣにデバイス・ツー・デバイス接続情報を提供して、ＵＥと第２ＵＥとの間のデバイス・ツー・デバイス無線接続を確立する段階であって、第２ＵＥは、ＥＰＣと通信する、段階と、ＥＰＣからの応答に基づいて、第２無線ネットワークを介して送信されたデバイス・ツー・デバイス通信を用いて第２ＵＥの発見を実行し、第２ＵＥとのデバイス・ツー・デバイス無線接続を確立する段階とを備える。
【００６４】
例２において、例１の主題は、ＵＥと第２ＵＥとの間のデバイス・ツー・デバイス無線接続を通して通信を実行する段階を任意選択的に含むことができる。
【００６５】
例３において、例１−２の１つまたは任意の組み合わせの主題は、デバイス・ツー・デバイス無線接続を確立するための要求をＵＥからＥＰＣに送信することにより、ＥＰＣにデバイス・ツー・デバイス接続情報を提供する段階を任意選択的に含むことができる。
【００６６】
例４において、例１−３の１つまたは任意の組み合わせの主題は、ＵＥの位置情報をＥＰＣに提供する段階が、予め定められた間隔で実行され、位置情報は、ＵＥの既知の位置の地理的エリアに関連づけられたデータを含むことを任意選択的に含むことができる。
【００６７】
例５において、例１−４の１または任意の組み合わせの主題は、デバイス・ツー・デバイス接続情報は、ＵＥが接続を要求した１または複数のＵＥを示す位置要求を含むことを任意選択的に含むことができる。
【００６８】
例６において、例１−５の１または任意の組み合わせの主題は、デバイス・ツー・デバイス無線接続を確立するためのＥＰＣからの応答は、ＵＥが第２ＵＥに近いことをＥＰＣが確認することに応答して、ＥＰＣから提供され、ＵＥが近いことは、ＵＥおよび第２ＵＥが共通の進化型ＮｏｄｅＢ（ｅＮｏｄｅＢ）に接続することに少なくとも部分的に基づいて、決定されることを任意選択的に含むことができる。
【００６９】
例７において、例１−６の１または任意の組み合わせの主題は、デバイス・ツー・デバイス通信は、無線デバイスから第２無線デバイスに送信されて、ダイレクトなデバイス・ツー・デバイス無線接続を確立し、ダイレクトなデバイス・ツー・デバイス無線接続は、ＬＴＥ／ＬＴＥ−Ａ規格ファミリー、ＩＥＥＥ８０２．１１規格ファミリー、ＩＥＥＥ８０２．１６規格ファミリー、またはブルートゥース（登録商標）利益団体規格ファミリーからの規格に従って通信を実行することを任意選択的に含むことができる。
【００７０】
例８は、ユーザ機器（ＵＥ）などの無線通信デバイスによって実施される主題を含むべく、例１−７の１または任意の組み合わせの主題をすべてまたは複数の部分を含むことができ、または任意選択的に含むことができ、３ＧＰＰロングタームエボリューションまたは３ＧＰＰロングタームエボリューション進化型（ＬＴＥ／ＬＴＥ−Ａ）ネットワーク内の進化型ＮｏｄｅＢ（ｅＮＢ）とＬＴＥ／ＬＴＥ−Ａネットワーク接続を介して無線通信を実行し、かつデバイス・ツー・デバイス接続を介して第２ＵＥと無線通信を実行するよう構成された回路を有するマルチモード送受信機を備え、回路は、さらに、ＬＴＥ／ＬＴＥ−Ａネットワークでの通信で、予め定められたタイミングに従ってＵＥの位置データを、進化型パケットコア（ＥＰＣ）に送信し、ＬＴＥ／ＬＴＥ−Ａネットワークに確立されたネットワーク接続を有する第２ＵＥの識別子を含むデバイス・ツー・デバイス接続要求を、ＥＰＣに送信し、第２ＵＥについての接続情報および第２ＵＥの発見を実行するためのタイミング情報を含むデバイス・ツー・デバイス接続応答を、ＥＰＣから受信し、タイミング情報を用いて決定された接続確立期間中に、第２ＵＥについての接続情報を用いてデバイス・ツー・デバイス接続を確立するための１または複数のデバイス・ツー・デバイス通信を、第２ＵＥに送信することにより、ＵＥと第２ＵＥとの間で直接通信するためのデバイス・ツー・デバイス接続を促進するようさらに構成される。
【００７１】
例９において、例８の主題は、回路が、接続確立期間中に第２ＵＥの発見および認証の成功に応答して、デバイス・ツー・デバイス接続を介して、第２ＵＥと、デバイス・ツー・デバイス・データを直接送受信するようさらに構成されることを任意選択的に含むことができる。
【００７２】
例１０において、例８−１０の１または任意の組み合わせの主題は、ＵＥの位置データは、予め定められた間隔で、ＥＰＣに送信され、位置データは、ＵＥの決定された地理的位置を含むことを任意選択的に含むことができる。
【００７３】
例１１において、例８−１０の１または複数の組み合わせの主題が、ＥＰＣに送信されるデバイス・ツー・デバイス接続要求は、デバイス・ツー・デバイス接続を試みるための第２ＵＥを含む複数のＵＥの識別子を含むことを任意選択的に含むことができる。
【００７４】
例１２において、例８−１１の１または複数の組み合わせの主題は、ＵＥは、ディスプレイ画面をさらに含み、ＵＥと第２ＵＥとの間のデバイス・ツー・デバイス通信を促進するための動作は、ディスプレイ画面を介して提示されるユーザインタフェース上の１または複数の対話型ディスプレイを提供して、デバイス・ツー・デバイス接続の確立のためのユーザ制御を可能にすることを含むことを任意選択的に含むことができる。
【００７５】
例１３において、例８−１２の１または任意の組み合わせの主題は、マルチモード送受信機は、さらに、ＬＴＥ／ＬＴＥ−Ａネットワークとは異なる無線ネットワークを介してデバイス・ツー・デバイス通信を実行するようにさらに構成され、デバイス・ツー・デバイス通信は、ＬＴＥ／ＬＴＥ−Ａ規格ファミリー、ＩＥＥＥ８０２．１１規格ファミリー、ＩＥＥＥ８０２．１６規格ファミリー、またはブルートゥース（登録商標）利益団体規格ファミリーからの規格に関連して、ＵＥと第２ＵＥとの間で実行されることを任意選択的に含むことができる。
【００７６】
例１４は、ユーザ機器（ＵＥ）と第２ＵＥとの間に確立される直接デバイス・ツー・デバイス接続を介したデータフローを促進するためにデバイス（例えば、ＵＥ）によって実行される方法によって実施される主題を含むべく、例１−１４の１または任意の組み合わせの主題をすべてまたは複数の部分を、含むことができ、または任意選択的に含むことができ、方法は、第２ＵＥへのデバイス・ツー・デバイス接続を確立するための要求を受信する段階であって、要求は、第２ＵＥの識別子および発見期間の識別子を含み、要求は、ＵＥが第２ＵＥの近くにいることを検出することに応答して３ＧＰＰロングタームエボリューションまたは３ＧＰＰロングタームエボリューション進化型（ＬＴＥ／ＬＴＥ−Ａ）ネットワークの進化型パケットコア（ＥＰＣ）から提供される、段階と、第２ＵＥへのデバイス・ツー・デバイス接続を確立するための要求に対する応答を、ＥＰＣに送信する段階と、第２ＵＥの識別子を用いて、発見期間中に第２ＵＥへのデバイス・ツー・デバイス接続を確立する段階であって、デバイス・ツー・デバイス接続を介したＵＥと第２ＵＥとの間のデータフローは、ＥＰＣを介して存在するＵＥと第２ＵＥとの間のデータフローを入れ替えるために構築される、段階とを備える。
【００７７】
例１５において、例１４の主題は、デバイス・ツー・デバイス接続を確立するための第２要求は、ＥＰＣから第２ＵＥに送信され、第２要求は、第１ＵＥの識別子を含み、第１ＵＥおよび第２ＵＥは、デバイス・ツー・デバイス接続を確立するための第２要求に対する肯定応答に応答して、デバイス・ツー・デバイス接続を確立するための動作を実行することを任意選択的に含むことができる。
【００７８】
例１６において、例１４−１５の１または任意の組み合わせの主題は、第１ＵＥの識別子が、第１ＵＥの発見および認証に用いられる第２ＵＥからの情報を含み、第２ＵＥからの識別子は、第２ＵＥの発見および認証に用いられる第１ＵＥからの情報を含むことを任意選択的に含むことができる。
【００７９】
例１７において、例１４−１６の１または任意の組み合わせの主題は、ＵＥが第２ＵＥの近くにすることを検出することは、ＬＴＥ／ＬＴＥ−Ａネットワーク内の共通の進化型ＮｏｄｅＢ（ｅＮｏｄｅＢ）へのＵＥおよび第２ＵＥの接続に基づくことを任意選択的に含むことができる。
【００８０】
例１８において、例１４−１７の１または任意の組み合わせの主題は、ＵＥが第２ＵＥの近くにいることを検出することは、デバイス・ツー・デバイス接続の最大通信範囲との比較でＥＰＣによって決定されるＵＥおよび第２ＵＥの位置に基づくことを任意選択的に含むことができる。
【００８１】
例１９は、進化型パケットコア（ＥＰＣ）によって実施される主題を含むべく、例１−１８の１または任意の組み合わせのすべてまたは複数の部分を含む、または任意選択的に組み合わせることができ、ＥＰＣは、３ＧＰＰロングタームエボリューションまたは３ＧＰＰロングタームエボリューション進化型（ＬＴＥ／ＬＴＥ−Ａ）無線ネットワークのためのコンポーネントの処理を実行するよう構成され、ＬＴＥ／ＬＴＥ−Ａ無線ネットワークは、第１ユーザ機器（第１ＵＥ）と第２ＵＥとの間のＬＴＥ／ＬＴＥ−Ａネットワーク通信リンクを１または複数の進化型ＮｏｄｅＢ（ｅＮｏｄｅＢ）を介して確立するよう構成され、ＥＰＣは、第１ＵＥと第２ＵＥとの間のＬＴＥ／ＬＴＥ−Ａネットワーク通信リンクの確立を決定し、第１ＵＥと第２ＵＥとの間の近接を決定し、第２無線ネットワークを介したデバイス・ツー・デバイス通信リンクの確立に用いるために、ＬＴＥ／ＬＴＥ−Ａ無線ネットワークを介して、第１ＵＥおよび第２ＵＥに、識別情報および発見タイミングを送信するための動作を実行することにより、第２無線ネットワーク上の第１ＵＥと第２ＵＥとの間のデバイス・ツー・デバイス通信リンクの確立を促進するよう構成される１または複数のコンポーネントを含む。
【００８２】
例２０において、例１９の主題は、第１ＵＥと第２ＵＥとの間の近接を決定することが、ＥＰＣへ通信された第１ＵＥおよび第２ＵＥの位置情報に基づいて実行されることを任意選択的に含むことができる。
【００８３】
例２１において、例１９−２０の１または任意の組み合わせの主題は、デバイス・ツー・デバイス通信リンクの確立は、ＥＰＣ内で提供される通知に応答して、または第１ＵＥから提供される通知から開始されることを任意選択的に含むことができる。
【００８４】
例２２において、例１９−２１の１または任意の組み合わせの主題は、第１ＵＥと第２ＵＥとの間のデバイス・ツー・デバイス通信リンクの確立を決定するための動作は、第１ＵＥからのデバイス・ツー・デバイス要求を受信することに応答して実行され、第１ＵＥからのデバイス・ツー・デバイス要求は、ＵＥの識別子を含み、ＬＴＥ／ＬＴＥ−Ａ無線ネットワークを介して識別情報および発見タイミングを第１ＵＥおよび第２ＵＥに送信するための動作は、発見タイミングと第１ＵＥの識別子を含む識別情報とを含む、第２ＵＥからＥＰＣへの第２デバイス・ツー・デバイス接続要求を発行すること、および第２デバイス・ツー・デバイス接続要求の確認に応答して、第１ＵＥへのデバイス・ツー・デバイス接続応答を発行することを含むことを任意選択的に含むことができる。
【００８５】
例２３において、例１９−２２の１または任意の組み合わせの主題は、第１ＵＥに提供された識別情報は、第２無線ネットワークを介して送信されたデバイス・ツー・デバイス通信を用いて第２ＵＥを認証するための認証情報を含み、第２ＵＥに提供された識別情報は、第２無線ネットワークを介して送信されたデバイス・ツー・デバイス通信を用いて第１ＵＥを認証するための認証情報を含むことを任意選択的に含むことができる。
【００８６】
例２４において、例１９−２３の１または任意の組み合わせの主題は、デバイス・ツー・デバイス通信は、３ＧＰＰロングタームエボリューションまたはロングタームエボリューション進化型規格ファミリー、ＩＥＥＥ８０２．１１規格ファミリー、ＩＥＥＥ８０２．１６規格ファミリー、またはブルートゥース（登録商標）利益団体規格ファミリーからの規格の使用に関連して、第２無線ネットワークで無線通信デバイスと第２無線通信デバイスとの間で、実行されることを任意選択的に含むことができる。
【００８７】
要約は、読み手が技術的開示の特性および主旨を究明することを許可するよう提供される。請求項の範囲および意味を限定または解釈するために用いられないことは理解されるように提出されている。本明細書において、以下の各請求項は、別個の実施形態としてそれ自身でそれぞれの請求項は成立するとともに、発明を実施するための形態に組み込まれる。
【図１】
2015527000.tif 000003
【図２】
2015527000.tif 000004
【図３】
2015527000.tif 000005
【図４】
2015527000.tif 000006
【図５】
2015527000.tif 000007
【図６】
2015527000.tif 000008
【図７】
2015527000.tif 000009
【図８】
2015527000.tif 000010
【国際調査報告】
2015527000.tif 000011
2015527000.tif 000012